(57)【要約】【課題】  ヘッドカバーやヘッドキャップの分解作業を要せずに、工具の外側から、清掃対象物の清掃が可能な燃焼式動力工具の提供。【解決手段】ヘッドキャップ１３内には、一端が外気に開口し内端が閉鎖された第１清掃用通路３１と、一端が第１清掃用通路に連通し他端が燃焼式打込み工具１の清掃対象物であるスパーク発生部１５Ａ、１５Ｂ付近に開口する第２清掃用通路３５が形成される。第１清掃用通路内はその一端を閉鎖する方向に圧縮コイルスプリング３４により付勢された逆止弁３３が設けられる。第１清掃用通路の一端側から加圧式洗浄液ボンベ３６のノズルを差し込み、洗浄液を噴射させると、噴射圧により逆止弁が開き、清掃対象物に洗浄液が供給される。【選択図】図２
2005059137.tif 000002
【特許請求の範囲】
【請求項１】
ハウジングと、
ハウジングから延び、トリガスイッチが設けられたハンドルと、
該ハウジングの一端を塞ぎ、可燃性ガス通路が形成されたヘッド部と、
該ヘッド部に設けられたモータと、
該ハウジングの下方に設けられ工作物への押圧時に移動可能なプッシュレバーと、
該ハウジング内に固定して設けられ、排気穴が形成されたシリンダと、
該シリンダの軸方向に該シリンダに対して往復摺動可能であり、該シリンダをシリンダ内ピストン下室とピストン上室とに画成するピストンと、
該ハウジング内において移動可能に案内され、該プッシュレバーの移動に連動して該ヘッド部に当接、離間し、該ヘッド部、該シリンダ内ピストン上室と共に燃焼室を画成する燃焼室枠と、
該ピストンから反燃焼室方向に延び該ピストンと共に往復動するドライバブレードと、
該燃焼室枠がヘッド部に当接したとき、該燃焼室枠と該ヘッド部間をシールする第１シール材及び、該燃焼室枠がヘッド部に当接したとき、該燃焼室枠と該シリンダ間をシールする第２シール材と、
該燃焼室内に回転可能に設けられ該モータにより回転駆動されるファンと、
該燃焼室内の可燃性ガスと空気との混合気を着火するため、該ヘッド部に支持されてスパーク発生部が該燃焼室に臨む点火プラグと、
該排気穴を開閉するように設けられた排気逆止弁と、
該ハウジングの下方に位置し止め具を収容保持するマガジンと、
該マガジンに収容されている止め具を該ドラバブレードの下方に給送すると共に、該ドライバブレードの先端部が侵入するテールカバーとを有し、
該点火プラグのスパーク発生部、該第１シール材、該第２シール材の少なくとも一部が非動作時に清掃対象物となる燃焼式動力工具において、
該ヘッド部には、一端が外気に開口し他端が該清掃対象物の何れかに臨む清掃用通路が形成され、
該止め具の打ち込み動作中は該清掃用通路を外気と遮断する遮断手段が該清掃用通路内に設けられることを特徴とする燃焼式動力工具。
【請求項２】
該遮断手段は、該清掃用通路内に配置され、該清掃用通路を閉鎖する方向に付勢される一方向弁により構成されることを特徴とする請求項１記載の燃焼式動力工具。
【請求項３】
該第１のシール材はシールリングにより構成され、該ヘッド部には該シールリングを装着する環状溝が形成され、該清掃用通路は該環状溝の底面に連通していることを特徴とする請求項１乃至２記載の燃焼式動力工具。
【請求項４】
該清掃用通路の内周面には雌ネジが形成され、該遮断手段は、外周面に雄ネジが形成され該雌ネジに着脱可能に螺着する栓部材であることを特徴とする請求項１記載の燃焼式動力工具。
【発明の詳細な説明】
【技術分野】
【０００１】
本発明は燃焼式動力工具に関し、特に、ガスボンベに封入された可燃性液化ガスを燃焼室内に噴射させ、空気と混合し着火することにより、ピストンを駆動する動力を発生させ、釘等の止め具を打込む燃焼式打込み工具に関する。
【背景技術】
【０００２】
従来の燃焼式動力工具は、ハウジングと、ハンドルと、トリガスイッチと、ヘッドキャップと、ヘッドカバーと、燃焼室枠と、プッシュレバーと、シリンダと、ピストンと、ドライバブレードと、モータと、ファンと、ガスボンベと、点火プラグと、排気逆止弁と、マガジンと、テールカバーとを主に備えている。ヘッドキャップはハウジングの一端をネジ等により塞いでおり、ハンドルはハウジングに固定されトリガスイッチが付設される。燃焼室枠は、ハウジング内においてハウジングの長手方向に移動可能に設けられ、反ヘッドキャップ方向にスプリングにより付勢されるが、スプリングの付勢力に抗して一端がヘッドキャップに当接可能に設けられる。ヘッドカバーは、ヘッドキャップの上側にネジ等で装着され、ヘッドキャップと共にモータを支持し、また、工具の上端を保護している。
【０００３】
プッシュレバーは、ハウジングの他端において移動可能に設けられ、燃焼室枠と連接されている。シリンダは燃焼室枠に連通可能に位置してハウジングに固定され、燃焼室枠の移動を案内すると共に排気穴が形成されている。ピストンはシリンダに対して往復摺動可能に設けられ、シリンダをシリンダ内ピストン下室とピストン上室とに画成している。燃焼室枠の一端がヘッドキャップに当接したとき、ヘッドキャップ、燃焼室枠、シリンダ内ピストン上室と共に燃焼室を画成する。
【０００４】
ドライバブレードは、ピストンの反燃焼室側からハウジングの他端部方向に延設されている。モータはヘッドキャップに支持され、ファンはモータに固定されて燃焼室内に位置する。ファンは、モータにより駆動されて燃焼室内で燃焼ガスと空気を混合して燃焼を促進させると共に、燃焼室枠がヘッドキャップから離間したときに、外気をハウジング内に導入して燃焼室枠内を掃気し、またシリンダの外周側を冷却する役割を果たす。ガスボンベはハウジング内に収容され、プロパンやブタンなどの可燃性ガス（液化ガス）や潤滑油を内含する。この可燃性ガスはヘッドキャップのガス通路を通じて燃焼室内に噴射される。点火プラグは燃焼室に臨み可燃性ガスと空気との混合気を着火する。点火プラグはベース電極と、ベース電極から離間して設けられた対極を有してスパーク発生部をなす。排気逆止弁は排気穴を選択的に遮蔽する。
【０００５】
マガジンは、ハウジングの他端部側に設けられて釘等の止め具を収容する。テールカバーは、マガジンの止め具をドライバブレードに対向する位置に給送するためにマガジンとプッシュレバーとの間に設けられている。シリンダ及びハウジングの下端部であってドライバブレードが通過する部位には、シリンダ内ピストン下室と外気とを連通するガイド隙間が形成されている。
【０００６】
燃焼室枠がヘッドキャップに当接したときに燃焼室を密閉するために、燃焼室枠の上部と密着するヘッドキャップの所定面には第１のシール材が設けられ、燃焼室枠の下部と密着するシリンダのヘッドキャップ側端部外周面には、第２のシール材が設けられている。
【０００７】
プッシュレバーを工作物に押しつけると、燃焼室が画成された状態でハウジングに装着されたガスボンベから燃焼室内に液化ガスが噴射され、ファンにより空気と可燃性ガスが攪拌混合され、この状態でトリガスイッチをオン操作すると、点火プラグによる点火によって混合気が爆発燃焼され、ピストンを駆動してドライバブレードを介して木材等の工作物に釘が打込まれる。爆発燃焼後、所定時間が経過するまでは、燃焼室枠はヘッドキャップに当接した状態が維持され、燃焼ガスの排気後の排気逆止弁の閉鎖によって燃焼室内が密閉されるとともに、温度低下による燃焼室内の圧力低下により、シリンダ内ピストン上室側では熱真空が得られる。一方シリンダ内ピストン下室側はガイド隙間を介して大気とつながっているため、シリンダ内ピストン下室内の圧力がシリンダ内ピストン上室よりも高く、そのためピストンは初期の上死点位置に戻る。その後、トリガスイッチを解放し、プッシュレバーを図示しない工作物から離すと燃焼室枠とプッシュレバーは、スプリングの付勢により下降し、燃焼室が外気に開放されて、ファンの回転により掃気されながら初期位置に戻る。（例えば特許文献１参照。）。
【特許文献１】特公平１−３４７５３号公報
【０００８】
上述したように、従来の燃焼式打込み工具においては、ファンの回転と、燃焼室枠の下降に伴い、上記シール材による封止が解除されて、燃焼後の排ガスが外気に排出され，燃焼室が冷却される。よって多量の外気が燃焼室内を通過する。このとき、この種の工具を用いている作業環境は屋外であったり，建築中のビルの中であったり，木屑、綿埃、土埃などの微細な粉塵が多いところであり、これら異物が工具内に吸入されてしばしば動作不良になることがある。具体的には、可燃性ガスに含まれる潤滑油が各部に付着し，空気中の微細な粉塵が潤滑油に接触して潤滑油内に吸着され，粉塵が燃焼室の各所に付着することによるものである。特にスパーク発生部のベース電極と対極間の隙間に粉塵が多く付着すると、正常に火花が発生されず、燃焼が起こらない。
【０００９】
また他の不具合としては，第１、第２シール材を構成するＯリングやリング溝内に潤滑油によって粉塵が付着し、燃焼室枠の上下動が滑らかに動作せず，燃焼室の開閉が困難になるという問題がある。
【発明の開示】
【発明が解決しようとする課題】
【００１０】
従来この現象が発生すると、数本のネジを緩め、ヘッドキャップとヘッドカバーをハウジングから分解し、ヘッドキャップ内面や燃焼室枠内に直接アクセス可能として、洗浄液を用いてベース電極や対極に付着した潤滑油と粉塵を清掃したり、第１、第２シール材やそのリング溝を清掃したりしなければならなかった。清掃の時間間隔は使用する工具の環境によって影響され，頻繁にこの種の工具を使用する場合には、粉塵の多い環境では毎週必要であったり，粉塵が少ない環境でも毎月1回程度は清掃を行なわなけばならない。これらの清掃には製品の分解と再組立てを伴うため，清掃作業時間が全体として長くなり、ねじ等の部品の紛失や配線の損傷といった問題も発生していた。
【００１１】
そこで本発明は、ヘッドカバーやヘッドキャップの分解作業を要せずに、工具の外側から、清掃対象物の清掃が可能な燃焼式動力工具を提供することを目的とする。
【課題を解決するための手段】
【００１２】
かかる目的を達成するため本発明は、ハウジングと、ハウジングから延び、トリガスイッチが設けられたハンドルと、該ハウジングの一端を塞ぎ、可燃性ガス通路が形成されたヘッド部と、該ヘッド部に設けられたモータと、該ハウジングの下方に設けられ工作物への押圧時に移動可能なプッシュレバーと、該ハウジング内に固定して設けられ、排気穴が形成されたシリンダと、該シリンダの軸方向に該シリンダに対して往復摺動可能であり、該シリンダをシリンダ内ピストン下室とピストン上室とに画成するピストンと、該ハウジング内において移動可能に案内され、該プッシュレバーの移動に連動して該ヘッド部に当接、離間し、該ヘッド部、該シリンダ内ピストン上室と共に燃焼室を画成する燃焼室枠と、該ピストンから反燃焼室方向に延び該ピストンと共に往復動するドライバブレードと、  該燃焼室枠がヘッド部に当接したとき、該燃焼室枠と該ヘッド部間をシールする第１シール材及び、該燃焼室枠がヘッド部に当接したとき、該燃焼室枠と該シリンダ間をシールする第２シール材と、該燃焼室内に回転可能に設けられ該モータにより回転駆動されるファンと、該燃焼室内の可燃性ガスと空気との混合気を着火するため、該ヘッド部に支持されてスパーク発生部が該燃焼室に臨む点火プラグと、該排気穴を開閉するように設けられた排気逆止弁と、 該ハウジングの下方に位置し止め具を収容保持するマガジンと、該マガジンに収容されている止め具を該ドラバブレードの下方に給送すると共に、該ドライバブレードの先端部が侵入するテールカバーとを有し、該点火プラグのスパーク発生部、該第１シール材、該第２シール材の少なくとも一部が非動作時に清掃対象物となる燃焼式動力工具において、該ヘッド部には、一端が外気に開口し他端が該清掃対象物の何れかに臨む清掃用通路が形成され、該止め具の打ち込み動作中は該清掃用通路を外気と遮断する遮断手段が該清掃用通路内に設けられる燃焼式動力工具を提供している。
【００１３】
ここで、該遮断手段は、該清掃用通路内に配置され、該清掃用通路を閉鎖する方向に付勢される一方向弁により構成されるのが望ましい。
【００１４】
また、該第１のシール材はシールリングにより構成され、該ヘッド部には該シールリングを装着する環状溝が形成され、該清掃用通路は該環状溝の底面に連通している構成であるのが望ましい。
【００１５】
又は、該清掃用通路の内周面には雌ネジが形成され、該遮断手段は、外周面に雄ネジが形成され該雌ネジに着脱可能に螺着する栓部材であるのが望ましい。
【発明の効果】
【００１６】
請求項１記載の燃焼式動力工具によれば、ヘッド部には、一端が外気に開口し他端が清掃対象物の何れかに臨む清掃用通路が形成され、止め具の打ち込み動作中は、清掃用通路を外気と遮断する遮断手段が清掃用通路内に設けられているので、ハウジングからヘッド部をはずすことなく、清掃用通路を通じ工具外部から清掃対象物を清掃することができるので、清掃時間を大幅に削減できると共に、分解時のねじ等の部品の紛失や配線の損傷が生じない。
【００１７】
請求項２記載の燃焼式動力工具によれば、遮断手段は、清掃用通路内に配置され、清掃用通路を閉鎖する方向に付勢される一方向弁により構成されているので、例えば加圧式洗浄液噴射ボンベのノズルを清掃用通路の一端側から差し込み、洗浄液を噴射させると、洗浄液の噴射圧力によって一方向弁が自動的に開いて、洗浄液を洗浄対象物に供給でき、洗浄液の噴射を停止すれば、一方向弁は自動的に清掃用通路を閉鎖するので、清掃用通路の開閉が自動的に行える。
【００１８】
請求項３記載の燃焼式動力工具によれば、第１のシール材はシールリングにより構成され、ヘッド部にはシールリングを装着する環状溝が形成され、清掃用通路は環状溝の底面に連通しているので、例えば洗浄液を清掃用通路に供給すると、洗浄液は環状溝内に流入でき、環状溝やシールリングを容易に清掃することができる。
【００１９】
請求項４記載の燃焼式動力工具によれば、清掃用通路の内周面には雌ネジが形成され、遮断手段は、外周面に雄ネジが形成され雌ネジに着脱可能に螺着する栓部材により構成されているので、栓部材の着脱操作により、清掃用通路が簡単に開閉できる。
【発明を実施するための最良の形態】
【００２０】
本発明による燃焼式動力工具を燃焼式打込み工具に適用した第１の実施の形態について図１、図２を参照して説明する。燃焼式打込み工具１は、外枠体を構成するハウジング２を有し、ハウジング２は主ハウジング部２Ａと、主ハウジング部２Ａの長手方向に沿って主ハウジング部２Ａに並設されたボンベ室部２Ｂとを有する。主ハウジング部２Ａの下部には排気口２ａが形成されている。
【００２１】
主ハウジング部２Ａの上部には、吸気口４ａが形成されたヘッドカバー４が取付けられており、ボンベ室部２Ｂ内には可燃焼液化ガスを内含するガスボンベ５が着脱自在に収容される。ボンベ室部２Ｂからはトリガスイッチ６を備えたハンドル７が延設される。また主ハウジング部２Ａとボンベ室部２Ｂの下方には、図示しない釘を装填したマガジン８と、マガジン８内の釘を給送案内し所定位置にセットするためのテールカバー９が設けられている。
【００２２】
主ハウジング部２Ａの下端には、テールカバー９の釘セット位置に対応してプッシュレバー１０が移動可能に支持され、プッシュレバー１０は後述する燃焼室枠１１に固定された連結部材１２と連接されている。連結部材１２の下部と後述するシリンダ２０の底面との間には、圧縮コイルスプリング２２が介装されて燃焼室枠１１を反ヘッドカバー４方向に付勢している。プッシュレバー１０の先端が図示せぬ工作物に当接し圧縮コイルスプリング２２の付勢力に抗してハウジング２全体を工作物方向に押圧したとき、プッシュレバー１０の上部が主ハウジング部２Ａ内に後退可能である。
【００２３】
主ハウジング部２Ａの上端にはその上端開口を塞ぐためのヘッド部たるヘッドキャップ１３が固定され、ヘッドキャップ１３にはファン１４を回転軸で固定したモータ３が支持されると共に、トリガスイッチ６の操作により点火される点火プラグ１５が収納把持される。点火プラグ１５はベース電極１５Ａと、ベース電極１５Ａから僅かに離間して対向する対極１５Ｂを有し（図２）、ベース電極１５Ａと対極１５Ｂとでスパーク発生部をなす。またこれらが清掃対象物となる。なおベース電極１５Ａは、ヘッドキャップ１３に一体に設けられる。
【００２４】
主ハウジング部２Ａ内には、工具が工作物に押付けられて燃焼室枠１１がストローク上端にあることを検出するための図示せぬヘッドスイッチが設けられている。プッシュレバー１０が所定位置まで上昇したときに、ヘッドスイッチがオン動作して、モータ３の回転が開始されファン１４の回転を開始するように構成される。
【００２５】
ヘッドキャップ１３のボンベ室部２Ｂ側内には燃料通路たる噴射通路１７が形成され、噴射通路１７の一端はヘッドキャップ１３の下端面に開口する噴射口１８をなし、他端側はボンベ室部２Ｂに着脱可能に装着されるガスボンベ５と接続されるガスボンベ接続部をなす。ガスボンベ５内には、プロパンやブタン等の液化可燃性ガスと、数％の潤滑油が含まれる。またガスボンベ５の上部には、一定量の可燃性ガスを通過させるための計量部５Ａが設けられる。更に、ヘッドカバー４内には、ガスボンベ５をヘッドキャップ１３側に押しつけてガスを噴射するためのレバー１９が、ヘッドカバー４から延びるピン４Ａに回動可能に支持されている。またヘッドキャップ１３にはリング溝が形成され、リング溝には、後述する燃焼室枠１１の上部がヘッドキャップ１３に当接したときに、ヘッドキャップ１３と燃焼室枠１１間をシールするためのOリングで構成された第１シール材２３が装着されている。第１シール材２３やそのリング溝が清掃対象物のひとつとなる。
【００２６】
燃焼室枠１１は、主ハウジング部２Ａ内で、主ハウジング部２Ａの長手方向に移動可能に、上端がヘッドキャップ１３の下端面に当接可能に設けられる。上述したように、燃焼室枠１１の下端部には上述した連結部材１２が固定されてプッシュレバー１０に連接されているので、プッシュレバー１０の移動に伴って燃焼室枠１１も移動する。そして燃焼室枠１１の内周面に当接して燃焼室枠１１の移動を案内するシリンダ２０が、主ハウジング部２Ａに固定されている。シリンダ２０の軸方向中央部付近には上述した主ハウジング部２Ａの排気口２ａと連通可能な排気穴２１が形成されている。また図示せぬ排気逆止弁が排気穴２１を選択的に塞ぐように設けられる。更に、シリンダ２０の底部にはバンパ２５が設けられている。またシリンダ２０の上部の外周面にはリング溝が形成され、リング溝には燃焼室枠１１がヘッドキャップ１３に当接したときに、燃焼室枠１１の下部側内周面とシリンダ２０上部外周面との間をシールするＯリングよりなる第２シール材２４が装着されている。またシリンダ２０の底面には、排気口２ａを介して外気に連通するシリンダ下穴２０ａが形成されている。
【００２７】
シリンダ２０内には、シリンダ２０に対して往復摺動可能なピストン２６が設けられ、ピストン２６はシリンダ２０をシリンダ内ピストン上室とシリンダ内ピストン下室に画成する。そして燃焼室枠１１の上端がヘッドキャップ１３に当接したとき、ヘッドキャップ１３、燃焼室枠１１、シリンダ内ピストン上室、第１、第２シール材２３，２４とにより燃焼室２７が画成される。そして燃焼室枠１１がヘッドキャップ１３から離間したときは、ヘッドキャップ１３と燃焼室枠１１の上端との間に外気と通じる第１流路が生じ、また燃焼室枠１１の下端部とシリンダ２０の外周面側上端部との間に第１流路に続く第２流路が生じる。この第２流路は、シリンダ２０の外周面側に燃焼ガスや新たな空気を通過させ、主ハウジング部２Ａの排出口２ａから排出される。シリンダ２０の内周面上部にはピストン２６の上方への移動を制限するための止め輪２０Ａが嵌合固定されている。
【００２８】
燃焼室枠１１の燃焼室２７を画成する部分には、複数のリブ２８が燃焼室枠１１の軸方向に延び、半径方向内方に突出して設けられている。このリブ２８はファン１４の回転と相まって、燃焼室２７内での空気と可燃性ガスとの攪拌混合を促進させるためのものである。上述した吸気口４ａは燃焼室２７内に空気を供給するために形成され、排気穴２１や排気口２ａからは、燃焼室２７の燃焼ガスを排出する。
【００２９】
ファン１４、点火プラグ１５、噴射口１８は全て燃焼室２７内に配置又は開口している。ファン１４はその回転により、燃焼室枠１１がヘッドキャップ１３と当接位置にあるときに空気と可燃性ガスとを攪拌混合させ、点火後に乱流燃焼を生じせしめて燃焼を促進させ、燃焼室枠１１がヘッドキャップ１３から離間して、第１、第２流路が生じたとき、燃焼室２７内の燃焼ガスを掃気すると共にシリンダ２０を冷却するという３つの機能を果たす。
【００３０】
ドライバブレード２９がピストン２６のピストン下室側の面から主ハウジング部２Ａの下端部方向に延びて設けられる。ドライバブレード２９はテールカバー９内の釘に衝接可能な同軸位置にあり、ピストン２６が下降したとき、ドライバブレード２９の先端で釘を工作物に打込み、ピストン２６は上述したバンパ２５に突き当たって余剰エネルギーが吸収され停止する。
【００３１】
連結部材１２の底面や、主ハウジング部２Ａの下部には、貫通穴が形成され、シリンダ２０の底部のシリンダ下穴２０ａと貫通穴に対してドライバブレード２９が通過する。これら貫通穴とシリンダ下穴２０ａとで、シリンダ内ピストン下室と外気とを排気口２ａを介して連通させる。かかる連通により、ピストン２６が初期の上死点位置に復帰する際に、外気がシリンダ内ピストン下室に導入される。
【００３２】
ヘッドカバー４の頂部には、上述した吸気口４ａが形成され、ヘッドカバー４の側部には加圧ボンベ式の洗浄液ボンベ３６のノズル３６Ａが挿通可能な貫通孔３０が形成される。また、ヘッドキャップ１３内には、一端が貫通孔３０に開口する第１清掃用通路３１が半径方向に延びて形成され、第１清掃用通路３１の一端側には縮径部をなす弁座３２が設けられ、球状の逆止弁３３が弁座３２に着座可能に設けられる。また、第１清掃用通路３１の半径方向内端側は閉鎖され、この内端と逆止弁３３との間には圧縮コイルスプリング３４が介装されて、逆止弁３３を常時弁座３２に着座する方向に付勢している。
【００３３】
ヘッドキャップ１３内には、第１清掃用通路３１の中間位置から分岐して、べース電極１５Ａと対極１５Ｂとの間の隙間に向かう第２清掃用通路３５が形成されており、第２清掃用通路３５の内端はこれら隙間付近に開口している。逆止弁３３と圧縮コイルスプリング３４は、貫通孔３０から第２清掃用通路３５への流体の流れを可能とし，その逆の方向の流れを遮断する。また、圧縮コイルスプリング３４は、燃焼室２７が熱真空状態になったときにも、逆止弁３３を弁座３２に着座させるだけのバネ力が必要であり、 熱真空時の圧力０．０５ＭＰａに逆止弁３３のシール面積を乗じた荷重以上とする。一方で、このバネ力は、洗浄液ボンベ３６から噴射される洗浄液の液圧に逆止弁３３が付勢されて弁座３２から離間できる程度とする。例えば，直径３ｍｍの着座シール面の場合，バネ荷重は０．３５Ｎとする。
【００３４】
次に本実施の形態による燃焼式動力工具１の動作について説明する。非作動の状態では、圧縮コイルスプリング２２の付勢力により、プッシュレバー１０は下方に付勢されてテールカバー９下端より突出している。このとき燃焼室枠１１は連結部材１２を介してプッシュレバー１０に連接されているので、燃焼室枠１１の上端はヘッドキャップ１３と離間し、また燃焼室枠１１の燃焼室２７を画成する部分と、シリンダ２０の上端部とも離間して、第１流路、第２流路が提供される。このときピストン２６は、シリンダ２０内の上死点位置に停止している。
【００３５】
この状態でハンドル７を把持し、プッシュレバー１０を木材等の工作物に押し付けると、プッシュレバー１０が圧縮コイルスプリング２２の付勢力に抗して、上昇し、同様にプッシュレバー１０と連接した燃焼室枠１１も上昇し、上述した流路が閉じられて、シール材２３、２４により燃焼室２７が密封される。
【００３６】
またプッシュレバー１０を更に押すと、図示しないカムによりレバー１９がピン４Ａを中心に回動してガスボンベ５全体をヘッドキャップ１３方向に傾動させ、ガスボンベ５の噴射ロッドがヘッドキャップ１３のガスボンベ接続部に押しつけられて計量部５Ａを介して燃焼室２７内にガスボンベ５の液化ガスが噴射口１８より1回だけ噴射される。
【００３７】
更に、プッシュレバー１０の移動に伴って燃焼室枠１１がストローク端まで上昇すると、ヘッドスイッチがオンとなり、その結果ファン１４の回転が開始する。ファン１４が密封空間となった燃焼室２７内で回転することにより、燃焼室２７内に突出したリブ２８と相まって、噴射された可燃性ガスが燃焼室２７内の空気と攪拌混合される。
【００３８】
かかる状態でハンドル７のトリガスイッチ６をオンすると、点火プラグ１５がスパークし、混合ガスに着火する。このときファン１４は回転を維持しているので、混合気の乱流燃焼が促進され、動力工具の出力向上が得られる。また燃焼・膨張したガスはピストン２６を下方へ移動させ、ピストン２６がバンパ２５に衝接するまでテールカバー９内の釘はドライバブレード２９を介して工作物に打ち込まれる。
【００３９】
ピストン２６がシリンダ２０の排気穴２１を通過するまでは、シリンダ内ピストン下室内の空気が図示せぬ排気逆止弁を付勢して排気穴２１を開き、この空気は排気穴２１、シリンダ下穴２０ａ等を介して外気に排出される。また、ピストン２６がシリンダ２０の排気穴２１を通過すると、シリンダ内ピストン上室内の燃焼ガスの圧力により排気穴２１に装着されている図示せぬ排気逆止弁が付勢されて排気穴２１が開かれ、燃焼ガスはシリンダ２０の外部へ放出され主ハウジング部２Ａの排気口２ａから外部に排出される。
【００４０】
燃焼ガスがシリンダ２０外部へ放出され、シリンダ２０及び燃焼室２６内部が大気圧になった時点で排気穴２１に装着されている図示せぬ排気逆止弁が閉じられる。シリンダ２０及び燃焼室２７内部に残った燃焼ガスは、燃焼後であるため高温であり、その熱がシリンダ２０の内壁、燃焼室枠１１の内壁から吸収されることで、燃焼ガスが急冷されて、ピストン２６上部の閉じられた空間の圧力が低下して大気圧以下になる（熱真空という）。このとき、シリンダ内ピストン下室には、シリンダ下穴２０ａ等を通じて大気が導入されるので、シリンダ内ピストン下室の圧力（大気圧）とピストン上室側の内圧の圧力差により、ピストン２６は初期の上死点位置に引き戻される。
【００４１】
トリガスイッチ６をオフにし、工具１全体を工作物から持ち上げ、プッシュレバー１０を工作物から離すと、プッシュレバー１０と燃焼室枠１１が圧縮コイルスプリング２２の付勢力により下方に戻る。燃焼室枠１１の下降により、第１、第２流路が提供でき、燃焼室２７内の残燃焼ガスが掃気されて新鮮な空気と入れ換えられ、次の釘が打込める初期状態に戻る。以上の動作中、圧縮コイルスプリング３４により逆止弁３３が閉弁方向に付勢されているので、第１清掃用通路３１は常時外気と遮断されており、清掃用通路３１を通じての燃焼室２７と外気との連通は生じない。
【００４２】
釘打ち動作の繰り返しにより、スパーク発生部であるベース電極１５Ａと対極１５Ｂ間の隙間に可燃性ガスに含まれる潤滑油と外気に含まれる粉塵との混合物が蓄積されるので、清掃が必要となる。そのためにまず、燃焼室枠１１が下降している状態においてガスボンベ５を外す。次に図２に示すように、加圧式洗浄液ボンベ３６のノズル３６Ａを貫通孔３０に挿通させ、加圧洗浄液を噴射させると、洗浄液の圧力により逆止弁３３が圧縮コイルスプリング３４の付勢力に抗して移動して弁座３２から離間し、洗浄液は第１、第２清掃用通路３１、３５を通過して、点火プラグ１６の対極１５Ｂやベース電極１５Ａに噴出されこれらを清掃する。加圧洗浄液の噴射を停止すると、逆止弁３３が弁座３２に着座して、第１清掃用通路３１と外気との連通が遮断される。
【００４３】
以上のように第１の実施の形態による燃焼式打込み工具１によれば、ヘッドキャップ１３には、一端が外気に開口し他端が清掃対象物であるスパーク発生部に臨む第１、第２清掃用通路３１、３５が形成され、止め具の打ち込み動作中は、第１清掃用通路３１を外気と遮断する逆止弁３３が第１清掃用通路３１内に設けられているので、主ハウジング部２Ａからヘッドカバー４やヘッドキャップ１３をはずして燃焼室２７内部を曝すことなく、第１、第２清掃用通路３１、３５を通じて工具外部からスパーク発生部を清掃することができ、清掃のための手間を大幅に削減することができる。また分解を必要としないので、ねじ等の部品の紛失や電気配線の断線が生じない。
【００４４】
また、逆止弁３３は第１清掃用通路内３１に配置され、圧縮コイルスプリング３４との協働で第１清掃用通路３１を閉鎖する方向に付勢されて一方向弁をなすので、洗浄液ボンベ３６のノズル３６Ａを第１清掃用通路３１の一端側から差し込み、加圧洗浄液を噴射させると、洗浄液の噴射圧力によって逆止弁３３が自動的に開いて、洗浄液を洗浄対象物に供給でき、噴射をやめれば、逆止弁３３は自動的に第１清掃用通路３１を閉鎖するので、逆止弁３３開閉が自動的に行える。
【００４５】
次に、本発明の第２の実施の形態における燃焼式打込み工具１０１について図３、図４に基づき説明する。これらの図において、図１、図２と同一の部材は同一の参照番号を付し、説明を省略する。
【００４６】
第２の実施の形態では、ヘッドカバー１０４には吸気口１０４ａの他に貫通孔１３０が形成され、ヘッドキャップ１１３には、一端が貫通孔１３０に対峙し、他端が点火プラグ１５の対極１５Ｂとベース電極１５Ａ間の隙間に開口する直線状の清掃用通路１３１が形成されている。また図示していないが、ヘッドキャップ１１３には工具外部から燃焼室２７内に空気を流入させる通路も形成されている。清掃用通路１３１は、主ハウジング部２Ａ外部からベース電極１５Ａや対極１５Ｂが直視できる程度の内径を有し、また内周面には雌ネジ部１３１ａが形成されている。また、清掃用通路１３１には栓部材１３３が挿通可能であり、栓部材１３３の外周面には雌ネジ部１３１ａと螺合する雄ネジ部１３３ａが形成されている。また栓部材１３３の頂部には、コインと係合する係合溝１３３ｂが形成されている。
【００４７】
図３は、工具１０１の打込み動作状態を示しており、栓部材１３３が清掃用通路１３１を塞いでいるので、清掃用通路１３１を通じての外気と燃焼室２７との連通は生じない。図４は清掃の状態を示しており、ガスボンベ５と栓部材１３１を外した後に、洗浄ブラシ１３６を清掃用通路１３１に挿通させ、洗浄液も流入させてブラシ１３６と洗浄液により点火プラグ１５の対極１５Ｂやベース電極１５Ａを清掃する。第２の実施の形態による燃焼式打込み工具によれば、栓部材の着脱操作により清掃用通路が簡単に開閉できる。
【００４８】
本発明の第３の実施の形態における燃焼式打込み工具２０１について図５乃至図７に基づき説明する。第１、第２の実施の形態では清掃対象物がスパーク発生用の電極１５Ａ、１５Ｂであったが、第３の実施の形態は第１、第２シール材２３、２４とそれらのリング溝である。
【００４９】
第１の実施の形態と同様に、ヘッドキャップ２１３内には、一端がヘッドカバー４の貫通孔３０に開口する第１清掃用通路２３１が、半径方向に延びて形成され、第１清掃用通路２３１の一端側には縮径部をなす弁座２３２が設けられ、球状の逆止弁３３が弁座２３２に着座可能に設けられる。また、第１清掃用通路２３１の半径方向内端側は閉鎖され、この内端と逆止弁３３との間には圧縮コイルスプリング３４が介装されて、逆止弁３３を常時弁座２３２に着座する方向に付勢している。
【００５０】
ヘッドキャップ２１３に形成される第１シール材２３を収容するＯリング溝２１３ａは、断面が矩形であり、Ｏリング溝２１３ａのシリンダ２０軸方向の長さＬは、第１シール材２３の直径より僅かに大きい。ヘッドキャップ２１３内には、一端が第１清掃用通路２３１から分岐する第２清掃用通路２３５が形成される。第２清掃用通路２３５の他端は、Ｏリング溝２１３ａの底面であって下側溝壁部と同じ高さ位置にＯリング２１３ａ溝内に連通している。逆止弁３３と圧縮コイルスプリング３４は、貫通孔３０から第２清掃用通路２３５への流体の流れを可能とし，その逆の方向の流れを遮断する。また、圧縮コイルスプリング３４は、燃焼室２７が熱真空状態になったときにも、逆止弁３３を弁座３２に着座させるだけのバネ力を有する。
【００５１】
図５に示されるように、工具２０１の動作状態では、逆止弁３３が弁座３２に着座しており、清掃用通路２３１、２３５を通じての燃焼室２７と外気との連通は遮断される。図６、図７は清掃の状態を示している。この状態では、ガスボンベ５を外した後にプッシュレバー１０（図１）を介して燃焼室枠１１を上昇させ、第１、第２シール材２３、２４と燃焼室枠１１の内周面とをシールした状態にしておく。そして、加圧式洗浄液ボンベ３６のノズル３６Ａを貫通孔３０に挿通させ、加圧洗浄液を噴射させると、洗浄液の圧力により逆止弁３３が圧縮コイルスプリング３４の付勢力に抗して移動して弁座２３２から離間し、洗浄液は第１、第２清掃用通路２３１、２３５を通過して、Ｏリング溝２１３ａの底面下部からＯリング溝２１３ａ内に噴出する。洗浄液は円環状の第１シール材２３とＯリング溝２１３ａ間の隙間に充満し、第１シール材２３やＯリング溝２１３ａ内が清掃される。
【００５２】
洗浄液は、第１シール材２３の下側から第１シール材２３外周面に接触している燃焼室枠１１の内周面に噴出してシール部分を清掃する。更に洗浄液は燃焼室枠１１の内周面を伝って下降し、下側の第２シール材２４に達する。燃焼室枠１１の上下移動と洗浄液の注入を繰り返し行うことにより，第１、第２シール材２３，２４や、これらリング溝の汚れが洗浄液と共に主ハウジング部２Ａの外部に流れ、シール部は清掃される。このように第３の実施の形態における燃焼式打込み工具２０１では、洗浄液を清掃用通路に供給することにより、第１シール材２３や第２シール材２４のシール部の清掃を容易に実行することができる。
【００５３】
本発明による燃焼式動力工具は上述した実施の形態に限定されず、特許請求の範囲に記載した範囲で種々の変形や改良が可能である。例えば上述した実施の形態では、スパーク発生部であるベース電極と対極に関し、点火プラグ側に対極を備え、ベース電極を対極と離間してヘッドカバーと一体に設けているが、ベース電極と対極とを点火プラグ側に設けてもよい。また、第２の実施の形態において、洗浄ブラシ１３６の代わりに綿棒を用いたり、洗浄液を塗布後に高圧のエアガンで汚れを吹き飛ばすことも可能である。
【産業上の利用可能性】
【００５４】
本発明の燃焼式動力工具は、建築、土木分野で、優れた技術的効果を発揮でき、その利用価値は大きい。
【図面の簡単な説明】
【００５５】
【図１】本発明の燃焼式動力工具を燃焼式打込み工具に適用した第１の実施の形態を示す断面図であって、打込み動作のため工具が工作物を押圧した状態を示す。
【図２】本発明の第１の実施の形態による燃焼式打込み工具の部分断面図であり清掃状態を示す図。
【図３】本発明の第２の実施の形態による燃焼式打込み工具の打ち込み動作状態を示す部分断面図。
【図４】本発明の第２の実施の形態による燃焼式打込み工具の清掃状態を示す部分断面図。
【図５】本発明の第３の実施の形態による燃焼式打込み工具の打込み動作状態を示す部分断面図。
【図６】本発明の第３の実施の形態による燃焼式打込み工具の清掃状態を示す部分断面図。
【図７】本発明の第３の実施の形態による燃焼式打込み工具の清掃状態を示す要部拡大断面図。
【符号の説明】
【００５６】
１、１０１、２０１：燃焼式打込み工具、  ２：ハウジング、  ２Ａ：主ハウジング部、  ２Ｂ：ボンベ室部、  ３：モータ、  ４、１０４：ヘッドカバー、  ５：ガスボンベ、  ６：トリガスイッチ、  １０：プッシュレバー、  １１：燃焼室枠、  １２：連結部材、  １３、１１３、２１３：ヘッドキャップ、  １４：ファン、  １５：点火プラグ、  １５Ａ：ベース電極、  １５Ｂ：対極、  ２０：シリンダ、  ２１：排気穴、２２：圧縮コイルスプリング、２３：第１シール材  ２４：第２シール材、  ２６：ピストン、  ２７：燃焼室、  ２９：ドライバブレード、  ３０：貫通口、  ３１、２３１：第１清掃用通路、１３１：清掃用通路  ３２、２３２：弁座、  ３３：逆止弁、１３３：栓部材、  ３４：圧縮コイルスプリング、  ３５、２３５：第２清掃用通路、２１３ａ：リング溝
【図１】
2005059137.tif 000003
【図２】
2005059137.tif 000004
【図３】
2005059137.tif 000005
【図４】
2005059137.tif 000006
【図５】
2005059137.tif 000007
【図６】
2005059137.tif 000008
【図７】
2005059137.tif 000009